(57)【要約】【課題】工期を短縮することができるＰＣ合成桁用取替用プレキャスト床版を提供する。【解決手段】取替用プレキャスト床版２０は、ハンチ部２１の下部に接合空間２２を有し、埋設された鋼製板２３の一部が、接合空間２２から露出している。取替用プレキャスト床版２０は、主桁３の上に載置された状態において、主桁３のズレ止め鉄筋１２やスターラップ１３などが配置される。【選択図】図３
2019132070.tif 000002
【特許請求の範囲】
【請求項１】
既設のコンクリート桁に接合された既設床版に替えて接合されるＰＣ合成桁用取替用プレキャスト床版であって、
前記コンクリート桁の上端に一部が埋設された鉄筋が配置される接合空間を有する、
ことを特徴とするＰＣ合成桁用取替用プレキャスト床版。
【請求項２】
前記接合空間に鋼製板が備えられた、
ことを特徴とする請求項１に記載されたＰＣ合成桁用取替用プレキャスト床版。
【請求項３】
前記鋼製板が、前記コンクリート桁に対する高さを調節する高さ調節手段を有する、
ことを特徴とする請求項２に記載されたＰＣ合成桁用取替用プレキャスト床版。
【請求項４】
前記鋼製板の板面が、橋軸方向に向けて配置され、前記板面に突起部が形成され、この突起部によって床版横締めケーブルが上方寄りに偏心した状態でプレストレスが加えられた、
ことを特徴とする請求項２または請求項３に記載されたＰＣ合成桁用取替用プレキャスト床版。
【請求項５】
前記床版横締めケーブルが、前記接合空間を避けて偏心した、
ことを特徴とする請求項４に記載されたＰＣ合成桁用取替用プレキャスト床版。
【請求項６】
橋軸方向にプレストレスを加えるための孔が形成された、
ことを特徴とする請求項１から請求項５のいずれか１項に記載されたＰＣ合成桁用取替用プレキャスト床版。
【請求項７】
橋軸方向にプレストレスを加えるための定着部を有し、中間支点部近傍に架設される、
ことを特徴とする請求項１から請求項６のいずれか１項に記載されたＰＣ合成桁用取替用プレキャスト床版。
【請求項８】
既設のコンクリート桁に接合された既設床版を、前記コンクリート桁の上端に一部が埋設された鉄筋を残して撤去する手順と、
請求項１から請求項７のいずれか１項に記載されたＰＣ合成桁用取替用プレキャスト床版を、前記コンクリート桁の上端に架設する手順と、
前記接合空間に充填材を充填する手順と、を含む、
ことを特徴とするＰＣ合成桁用プレキャスト床版の取替方法。
【発明の詳細な説明】
【技術分野】
【０００１】
本発明は、既設のプレキャスト床版に替わるＰＣ合成桁用取替用プレキャスト床版およびＰＣ合成桁用プレキャスト床版の取替方法に関するものである。
【背景技術】
【０００２】
従来、橋梁の合成桁橋構造は、鋼桁にコンクリート床版を接合するもの（以下、「鋼合成桁橋」と記す。）や、プレストレストコンクリート桁（以下、「ＰＣ桁」と記す。）にコンクリートを打設して床版とＰＣ桁とを接合したもの（以下、「ＰＣ合成桁橋」と記す。）がある。前者は、プレキャスト床版を用いた施工事例が多くある。また、床版部の劣化に伴う補修工事にもプレキャスト床版が適宜用いられている。一方、後者の床版は、いわゆる現場打ちコンクリートであり、ＰＣ桁の鉄筋を介して床版が打設される。プレキャスト床版を用いた施工事例は報告されていない。床版劣化に伴う補修工事も施工事例が少なく、現場打ちコンクリートで施工され、プレキャスト床版を用いた補修事例は報告されていない。
【０００３】
鋼合成桁橋におけるプレキャスト床版の補修工法の場合、コンクリート床版と共にスタッドジベルが鋼桁から撤去され、取替用のプレキャスト床版の孔の位置に応じて新たなスタッドジベルが再度鋼桁に溶接される。このスタッドジベルを介して、新たなプレキャスト床版が接合される。この工法に倣って、仮に、ＰＣ合成桁橋における床版の補修工事において、ＰＣ桁と床版とを接合する鉄筋を切断した場合、鉄筋をＰＣ桁に新たに埋設することができないため、ＰＣ桁と床版とを接合することができなくなる。したがって、この工法は、ＰＣ合成桁橋における床版の補修工事には採用することができず、例えば、下記特許文献１に記載された補修工法のように、ＰＣ合成桁橋における床版の補修工事では、劣化した床版が部分的に撤去され、現場打ちコンクリートによって床版が再構築される。
【先行技術文献】
【特許文献】
【０００４】
【特許文献１】特開２０１４−８４５９０号公報
【発明の概要】
【発明が解決しようとする課題】
【０００５】
上記したとおり、橋梁の合成桁橋構造において、ＰＣ桁は、床版とＰＣ桁とを接合するものであって、構造が鋼桁と異なるため、ＰＣ合成橋桁における床版の補修工事では、プレキャスト床版を用いることができない。床版に現場打ちコンクリートを打設する場合、型枠の組み立て、養生、乾燥などの工程を経るため、補修工事が長期化する場合がある。
【０００６】
本発明は、上記の実情に鑑みて提案されたものである。すなわち、ＰＣ桁における床版の補修工事においてプレキャスト床版を用いることができ、このことによって工期を短縮することができるＰＣ合成桁用取替用プレキャスト床版およびＰＣ合成桁用プレキャスト床版の取替方法の提供を目的とする。
【課題を解決するための手段】
【０００７】
上記目的を達成するために、本発明に係るＰＣ合成桁用取替用プレキャスト床版は、既設のコンクリート桁に接合された既設床版に替えて接合されるＰＣ合成桁用取替用プレキャスト床版であって、前記コンクリート桁の上端に一部が埋設された鉄筋が配置される接合空間を有する、ことを特徴とする。
【０００８】
本発明に係るＰＣ合成桁用取替用プレキャスト床版は、前記接合空間に鋼製板が備えられた、ことを特徴とする。
【０００９】
本発明に係るＰＣ合成桁用取替用プレキャスト床版は、前記鋼製板が、前記コンクリート桁に対する高さを調節する高さ調節手段を有する、ことを特徴とする。
【００１０】
本発明に係るＰＣ合成桁用取替用プレキャスト床版は、前記鋼製板の板面が、橋軸方向に向けて配置され、前記板面に突起部が形成され、この突起部によって床版横締めケーブルが上方寄りに偏心した状態でプレストレスが加えられた、ことを特徴とする。
【００１１】
本発明に係るＰＣ合成桁用取替用プレキャスト床版は、前記床版横締めケーブルが、前記接合空間を避けて偏心した、ことを特徴とする。
【００１２】
本発明に係るＰＣ合成桁用取替用プレキャスト床版は、橋軸方向にプレストレスを加えるための定着部を有し、中間支点部近傍に架設される、橋軸方向にプレストレスを加えるための孔が形成された、ことを特徴とする。
【００１３】
本発明に係るＰＣ合成桁用取替用プレキャスト床版は、橋軸方向にプレストレスを加えるための定着部を有し、中間支点部近傍に架設される、ことを特徴とする。
【００１４】
本発明に係るＰＣ合成桁用プレキャスト床版の取替方法は、既設のコンクリート桁に接合された既設床版を、前記コンクリート桁の上端に一部が埋設された鉄筋を残して撤去する手順と、ＰＣ合成桁用取替用プレキャスト床版を、前記コンクリート桁の上端に架設する手順と、前記接合空間に充填材を充填する手順と、を含む、ことを特徴とする。
【発明の効果】
【００１５】
本発明に係るＰＣ合成桁用取替用プレキャスト床版は、コンクリート桁の上端に一部が埋設された鉄筋が配置される接合空間を有している。すなわち、既設床版が撤去された跡に残された鉄筋が、接合空間に配置されるため、鉄筋を介してＰＣ合成桁用取替用プレキャスト床版がコンクリート桁に接合される。そのため、コンクリート桁に接合された床版の補修工事においてプレキャスト床版を用いることができる。このことによって、工期と、補修工事に伴う交通規制期間を短縮することができる。
【００１６】
本発明に係るＰＣ合成桁用取替用プレキャスト床版は、接合空間に鋼製板が備えられている。すなわち、鋼製板を介してＰＣ合成桁用取替用プレキャスト床版がコンクリート桁に接合される。そのため、コンクリート桁に接合された床版の補修工事において、プレキャスト床版を堅固に接合することができる。
【００１７】
本発明に係るＰＣ合成桁用取替用プレキャスト床版は、鋼製板が、コンクリート桁に対する高さを調節する高さ調節手段を有している。したがって、例えば、既設構造の経年変化や、施工時の寸法誤差などに応じて、ＰＣ合成桁用取替用プレキャスト床版の高さを調節することができる。
【００１８】
本発明に係るＰＣ合成桁用取替用プレキャスト床版は、鋼製板の板面が、橋軸方向に向けて配置され、板面に突起部が形成され、この突起部によって床版横締めケーブルが上方寄りに偏心した状態でプレストレスが加えられている。すなわち、例えばＰＣ合成桁用取替用プレキャスト床版がプレテンション方式のプレストレストコンクリートであった場合、床版横締めケーブルが上方寄りに偏心することで、床版横締めケーブルによる圧縮力が、ＰＣ合成桁用取替用プレキャスト床版の上面寄りに強く作用する。一般的に、床版は、車両などの通行によって、曲げ応力が発生し、特に床版の上面側に引張応力が発生する。そこで、引張応力が発生する部分に床版横締めケーブルの圧縮力を作用させることで、ＰＣ合成桁用取替用プレキャスト床版を効果的に補強することができ、ＰＣ合成桁用取替用プレキャスト床版の耐久性を向上させることができる。
【００１９】
本発明に係るＰＣ合成桁用取替用プレキャスト床版は、床版横締めケーブルが、接合空間を避けて偏心されている。この構成により、接合空間に配置された鉄筋と床版横締めケーブルとの干渉を防ぐことができる。
【００２０】
本発明に係るＰＣ合成桁用取替用プレキャスト床版は、橋軸方向にプレストレスを加えるための孔が形成されている。この構成により、コンクリート桁とＰＣ合成桁用取替用プレキャスト床版との材齢の相違から生じる引張応力に対抗することができ、ＰＣ合成桁用取替用プレキャスト床版の耐久性および耐荷力を維持することができる。一般的に、コンクリートは乾燥などによって収縮するところ、新たな床版は収縮の度合いが大きく、既設の古い主桁は収縮が少ないか、既に終了している。このことから、床版よりも主桁の方の剛性が高いＰＣ桁では、床版の収縮が主桁によって拘束され、床版に引張応力が発生する。そこで、ＰＣ合成桁用取替用プレキャスト床版の橋軸方向にプレストレスを加えることにより、ＰＣ合成桁用取替用プレキャスト床版同士も接合することが可能となり、ＰＣ合成桁用取替用プレキャスト床版の耐久性も向上する。
【００２１】
なお、鋼合成桁橋の補修工事では、鋼桁の断面が小さいことから、プレキャスト床版の収縮による影響はほとんどなく、橋軸方向にプレストレスを加えるほどではない。そのため、鋼合成桁橋では、鉄筋継手などでプレキャスト床版同士が接合されている。
【００２２】
一般的にＰＣ合成桁橋は複数の橋脚間（径間）に架けられたＰＣ橋を橋脚上（中間支点）で繋いだ構造のものが多く建設されている。この中間支点部ではＰＣ桁や床版にＰＣ鋼材を追加配置しＰＣ橋を繋いでいる。
【００２３】
本発明に係るＰＣ合成桁用取替用プレキャスト床版は、橋軸方向にプレストレスを加えるための定着部を有し、中間支点部近傍に架設される。この構成により、ＰＣ合成桁の構造的特徴から生じる中間支点部近傍における引張応力に対抗することができる。一般的に、複数の橋脚間に架設された橋桁が接合された連続桁橋構造や連結桁構造では、中間支点部近傍において、橋梁に載荷される車両などの活荷重や死荷重により、中立軸から上方において引張応力が発生する。そこで、中間支点部近傍において、橋軸方向にプレストレスを追加してＰＣ合成桁用取替用プレキャスト床版同士を接合することで、ＰＣ合成桁用取替用プレキャスト床版を効果的に補強することができる。また、中間支点部近傍に架設されたＰＣ合成桁用取替用プレキャスト床版にのみ、定着部が備えられていれば足りるため、中間支点部近傍と、それ以外の標準部とで、ＰＣ合成桁用取替用プレキャスト床版の仕様を分けることで、経済性を向上させることができる。
【００２４】
本発明に係るＰＣ合成桁用プレキャスト床版の取替方法は、既設のコンクリート桁に接合された既設床版を、コンクリート桁の上端に一部が埋設された鉄筋を残して撤去する手順と、上記したＰＣ合成桁用取替用プレキャスト床版を、コンクリート桁の上端に架設する手順と、接合空間に充填材を充填する手順と、を含んでいる。すなわち、既設床版が撤去された跡に残された鉄筋を接合空間に配置し、接合空間に充填材を充填することで、鉄筋を介してＰＣ合成桁用取替用プレキャスト床版をコンクリート桁に接合する。そのため、コンクリート桁に接合された床版の補修工事においてＰＣ合成桁用プレキャスト床版を用いることができ、このことによって工期を短縮することができる。
【図面の簡単な説明】
【００２５】
【図１】図１は、本発明の実施形態に係るＰＣ合成桁用取替用プレキャスト床版が施設された橋桁における断面であって、橋軸方向から視した部分断面図である。
【図２】図２は、図１のＡ部分拡大図であって、本発明の実施形態に係るＰＣ合成桁用取替用プレキャスト床版が施設された橋桁における断面が拡大された断面要部拡大図である。
【図３】図３は、本発明の実施形態に係るＰＣ合成桁用取替用プレキャスト床版が施設された橋桁の部分透視斜視図である。
【図４】図４は、図１のＡ部分拡大図であって、本発明の実施形態に係るＰＣ合成桁用取替用プレキャスト床版が高さ調節手段と共に施設された橋桁における断面が拡大された断面要部拡大図である。
【図５】図５は、本発明の実施形態に係るＰＣ合成桁用プレキャスト床版の取替方法の手順が示された第一手順説明図である。
【図６】図６は、本発明の実施形態に係るＰＣ合成桁用プレキャスト床版の取替方法の手順が示された第二手順説明図である。
【図７】図７は、本発明の実施形態に係るＰＣ合成桁用プレキャスト床版の取替方法の手順が示された第三手順説明図である。
【図８】図８は、本発明の実施形態に係るＰＣ合成桁用プレキャスト床版の取替方法の手順が示された第三手順説明図である。
【図９】図９は、本発明の実施形態に係るＰＣ合成桁用プレキャスト床版の取替方法の手順が示された第四手順説明図である。（ａ）は（ｂ）におけるＢ−Ｂ側面断面であって、橋軸直角方向から視した部分側面断面図、（ｂ）は（ａ）におけるＡ−Ａ断面であって、平面断面図である。
【図１０】図１０は、本発明の実施形態に係るＰＣ合成桁用プレキャスト床版の取替方法の手順が示された第五手順説明図である。
【図１１】図１１は、本発明の実施形態に係るＰＣ合成桁用プレキャスト床版の取替方法の手順が示された第五手順説明図である。
【図１２】図１２は、本発明の実施形態に係るＰＣ合成桁用プレキャスト床版の取替方法の手順が示された第七手順説明図である。
【図１３】図１３は、本発明の実施形態に係るＰＣ合成桁用プレキャスト床版の取替方法の手順の第八手順であって、ＰＣ合成桁用取替用プレキャスト床版が施設された橋桁における橋軸直角方向から視した概略側面図である。
【図１４】図１４は、本発明の実施形態に係るＰＣ合成桁用プレキャスト床版の取替方法の手順の第八手順であって、ＰＣ合成桁用取替用プレキャスト床版が施設された橋桁における橋軸方向から視した部分断面図である。
【発明を実施するための形態】
【００２６】
以下に、本発明の実施形態に係るＰＣ合成桁用取替用プレキャスト床版（以下、「取替用プレキャスト床版」と記す。）およびＰＣ合成桁用プレキャスト床版の取替方法を図面に基づいて説明する。図１から図４は、取替用プレキャスト床版２０が施設された橋桁１が示されている。図１は、橋軸方向から視した部分断面が示され、図２および図４は、取替用プレキャスト床版２０の一部の断面が拡大されて示され、図３は、取替用プレキャスト床版２０が斜視して示されている。
【００２７】
図１に示されているとおり、取替用プレキャスト床版２０は、既設のコンクリート桁２に接合された既設床版に替えて、コンクリート桁２に接合されるものであり、この取替用プレキャスト床版２０を用いて、ＰＣ合成桁用プレキャスト床版の取替方法が実現する。コンクリート桁２は、例えば主桁３であるＩ型のＰＣ桁や横桁５などから構成されている。取替用プレキャスト床版２０は、橋軸直角方向に向けて長手であり、複数の主桁３に対応して複数のハンチ部２１が形成されている。取替用プレキャスト床版２０は、中間支点部（図１における右半分参照）と、それ以外の標準部（図１における左半分参照）とで仕様が異なる。中間支点部の取替用プレキャスト床版２０は、ＰＣ鋼材を定着させるためのＰＣ定着部３３が形成されたＰＣ定着部付取替用プレキャスト床版３２であり、標準部の取替用プレキャスト床版２０は、ＰＣ定着部３３が形成されていない。ＰＣ定着部３３は、ハンチ部２１同士の間に形成されている。いずれの取替用プレキャスト床版２０も、橋軸方向にプレストレスを加えるためにＰＣ鋼材を通すＰＣ鋼材配置用孔３０が形成されている。ＰＣ鋼材配置用孔３０はシース（図示省略）によって形成されている。なお、ＰＣ定着部付取替用プレキャスト床版３２は、ＰＣ定着部３３を除けば、取替用プレキャスト床版２０と同じ構成である。また、取替用プレキャスト床版２０は、プレストレストコンクリート構造であっても鉄筋コンクリート構造であってもよい。
【００２８】
図２および図３に示されているとおり、取替用プレキャスト床版２０は、橋軸方向の幅が約１〜２メートルであり、ハンチ部２１の下部が切り欠かれて接合空間２２を有している。接合空間２２は、ハンチ部２１の下面が開放された凹状の窪みである。取替用プレキャスト床版２０は、鋼製板２３が埋設され、この鋼製板２３は、接合空間２２において一部が露出している。鋼製板２３は、平板状であると共に、全長がハンチ部２１の幅よりも長い。鋼製板２３は、板面が橋軸方向に向けられた状態で、橋軸方向に向けて複数配置され、板面に複数の板孔２５が形成されている。板孔２５の数は任意である。板孔２５は、ＰＣ鋼材が通され、また、コンクリートが充填されることで、鋼製板２３が取替用プレキャスト床版２０に堅固に定着する。
【００２９】
鋼製板２３のうち、接合空間２２において露出した部分である板露出部２４の下部は、主桁３に向けて下方に突出した二つの突出部２６が形成されている。突出部２６の数は任意である。鋼製板２３のうち、取替用プレキャスト床版２０に埋設された部分である板埋設部２７の板面は、橋軸方向に向けて突出した複数の突起部２８が形成されている。突起部２８は、例えば、鋼製板２３を貫通した棒であってもよい。取替用プレキャスト床版２０がプレストレストコンクリート構造である場合、この突起部２８によって、床版横締めケーブルであるＰＣ鋼材３１が、橋軸直角方向に対して、上方寄りに偏心すると共に接合空間２２を避けた状態で、プレストレスが加えられている。一方、取替用プレキャスト床版２０が、鉄筋コンクリート構造である場合、ＰＣ鋼材３１は配置されない。
【００３０】
図４に示されているとおり、鋼製板２３の突出部２６は、高さ調節手段２９が取り付けられていてもよい。高さ調節手段２９は、主桁３に対する高さを調節するものであり、例えば、内側にネジ溝が彫られた部材にボルトを螺合させたもの、ジャッキ構造、板状のスペーサーなど、任意である。
【００３１】
図２〜図４に示されているとおり、取替用プレキャスト床版２０が、主桁３の上に配置された状態において、突出部２６は、主桁３の上面に載置されている。接合空間２２には、主桁３の上部に埋設されて一部が主桁３の上端から露出したズレ止め鉄筋１２やスターラップ１３などの鉄筋が配置されている。
【００３２】
上記のとおり、取替用プレキャスト床版２０が構成されている。次に、ＰＣ合成桁用プレキャスト床版の取替方法を図面に基づいて説明する。図５〜図１４は、ＰＣ合成桁用プレキャスト床版の取替方法について、第一手順から第八手順まで示されている。ここで、ＰＣ合成桁用プレキャスト床版の取替方法は、図１３に示されているとおり、標準部では、取替用プレキャスト床版２０が用いられ、中間支点部では、取替用プレキャスト床版２０およびＰＣ定着部付取替用プレキャスト床版３２が用いられるため、標準部と中間支点部とで手順が異なる。標準部では、第一手順から第七手順を経る。中間支点部では、第一手順から第五手順を経た後、第七手順、第八手順を経る。なお、標準部と中間支点部の施工順序は、構造物の条件や施工条件により異なる。構造物毎に適宜検討を行い、その施工順序を決定する。
【００３３】
はじめに、標準部におけるＰＣ合成桁用プレキャスト床版の取替方法の手順を説明する。なお、橋桁１の補修工事に際し、各手順を経る前に交通規制が適宜実施される。
【００３４】
図５に示されているとおり、第一手順は、主桁３に接合された既設床版６が、コンクリートカッター（図示省略）で切断される。切断箇所Ｘは、主桁３のフランジ４を残した位置である。その際、既設床版６の落下を防ぐため、既設床版６が鋼材（図示省略）などで仮止めされる。
【００３５】
図６に示されているとおり、第二手順は、切断された既設床版６が、例えば油圧クレーン（図示省略）などで吊り上げられて撤去される。
【００３６】
図７に示されているとおり、第三手順は、主桁３の直上に残された既設床版６の残りが撤去される。その際、図８に示されているとおり、主桁３のズレ止め鉄筋１２やスターラップ１３を、主桁３の上部に残す。例えば、超高圧水によるコンクリート破砕装置（図示省略）などによって、既設床版６を除去し、ズレ止め鉄筋１２やスターラップ１３の損傷を避ける。
【００３７】
図９に示されているとおり、第四手順は、横桁５を残して中間横桁７の既設床版６が撤去される。その際、横桁５に埋設されたスターラップ（図示省略）を残して既設床版６がはつられる。
【００３８】
図１０および図１１に示されているとおり、第五手順は、取替用プレキャスト床版２０が主桁３の上に架設される。取替用プレキャスト床版２０が、ワイヤー８で吊り用梁９に吊られた状態で、吊り用梁９が、クレーンによって吊りワイヤー１０で吊り上げられる。取替用プレキャスト床版２０は、橋軸方向に順次並べて架設される。標準部では、取替用プレキャスト床版２０が架設され、中間支点部の前後では、ＰＣ定着部付取替用プレキャスト床版３２が架設される（図１２参照）。なお、架設作業は、例えば、橋面からのクレーン架設、橋梁側面からのクレーン架設、架設機械を用いた架設などである。
【００３９】
取替用プレキャスト床版２０が架設される際、接合空間２２内に、ズレ止め鉄筋１２やスターラップ１３が配置され、かつ、鋼製板２３の突出部２６が主桁３の上面に載置されるように位置が調節される。また、橋面に応じて、取替用プレキャスト床版２０の高さが、高さ調節手段２９によって調節される。
【００４０】
第六手順は、橋軸方向にプレストレスが加えられ、取替用プレキャスト床版２０同士が接合される。詳説すれば、まず、取替用プレキャスト床版２０同士が接着剤で密着される。施工誤差を考慮して目地が設けられた場合、モルタルなどが目地に打設される。次に、ＰＣ鋼材配置用孔３０にＰＣ鋼材が挿入され、目地に打設されたモルタルが、所定の強度となったら、ＰＣ鋼材を緊張させる。モルタルは、圧縮強度が取替用プレキャスト床版２０と同程度のものが用いられる。
【００４１】
図１２に示されているとおり、第七手順は、接合空間２２に充填材１１が充填される。取替用プレキャスト床版２０に予め設けられた打設用孔（図示省略）に、充填材１１としてモルタルなどを注入し、接合空間２２にモルタルを打設する。打設用孔は、鋼製板２３などと干渉しない位置に形成されている。モルタルは、圧縮強度が取替用プレキャスト床版２０と同程度のものが用いられる。モルタルが硬化し、取替用プレキャスト床版２０が主桁３と接合する。なお、取替用プレキャスト床版２０によって、舗装天端の高さに差が生じた場合は、適宜擦り付けて段差を解消させる。
【００４２】
上記のとおり、標準部では、ＰＣ合成桁用プレキャスト床版の取替方法の手順が進められる。次に、中間支点部におけるＰＣ合成桁用プレキャスト床版の取替方法の手順を説明する。中間支点部では、床版の取り替えの他に橋軸方向のＰＣ橋を繋ぐ目的もあるため、第一手順から第五手順を経た後、第七手順、以下の第八手順を経る。なお、第一手順から第五手順は、標準部と同じである。
【００４３】
図１３および図１４に示されているとおり、第八手順は、中間支点部において橋軸方向にプレストレスが加えられる。ここでは、ＰＣ定着部付取替用プレキャスト床版３２のＰＣ定着部３３に、ＰＣ鋼材を挿入して緊張させる。
【００４４】
以上のとおり、ＰＣ合成桁用プレキャスト床版の取替方法が実施され、橋桁１の補修工事が完了する。次に、本実施形態の効果を説明する。
【００４５】
上記したとおり、取替用プレキャスト床版２０は、ハンチ部２１の下部が切り欠かれて接合空間２２を有している。接合空間２２は、取替用プレキャスト床版２０が主桁３の上に載置された状態において、主桁３のズレ止め鉄筋１２やスターラップ１３などが配置される（図２および図３参照）。すなわち、既設床版６が撤去された跡に残されたズレ止め鉄筋１２やスターラップ１３が、接合空間２２に配置されるため、ズレ止め鉄筋１２やスターラップ１３を介して取替用プレキャスト床版２０が主桁３に接合される。そのため、橋桁１の補修工事においてプレキャスト床版を用いることができる。このことによって、工期と、補修工事に伴う交通規制期間を短縮することができる。
【００４６】
取替用プレキャスト床版２０は、鋼製板２３が埋設され、この鋼製板２３は、接合空間２２において板露出部２４が露出している（図２および図３参照）。すなわち、鋼製板２３を介して取替用プレキャスト床版２０が主桁３に接合される。そのため、橋桁１の補修工事において、取替用プレキャスト床版２０を堅固に接合することができる。
【００４７】
取替用プレキャスト床版の鋼製板２３は、主桁３に対する高さを調節する高さ調節手段２９を有している（図４参照）。したがって、例えば、既設構造の経年変化や、施工時の寸法誤差などに応じて、取替用プレキャスト床版２０の高さを橋面に合わせて調節することができる。
【００４８】
取替用プレキャスト床版２０が、プレストレストコンクリート構造であった場合、鋼製板２３は板埋設部２７の板面に、橋軸方向に向けて突出した複数の突起部２８が形成されている（図２参照）。ＰＣ鋼材３１が、橋軸直角方向に対して、上方寄りに偏心すると共に接合空間２２を避けた状態で、プレストレスが加えられている。すなわち、例えば、取替用プレキャスト床版２０がプレテンション方式のプレストレストコンクリート構造であった場合、ＰＣ鋼材３１が上方寄りに偏心することで、ＰＣ鋼材３１による圧縮力が、取替用プレキャスト床版２０の上面寄りに強く作用する。車両などの通行によって、引張応力が発生する上面部分にＰＣ鋼材３１の圧縮力を作用させることで、取替用プレキャスト床版２０を効果的に補強することができ、取替用プレキャスト床版２０の耐久性を向上させることができる。また、接合空間２２に配置されたズレ止め鉄筋１２やスターラップ１３とＰＣ鋼材３１との干渉を防ぐことができる。このことから、取替用プレキャスト床版２０の適用性が拡大し、品質や経済性の向上を実現することができる。
【００４９】
取替用プレキャスト床版２０は、橋軸方向にプレストレスを加えるためにＰＣ鋼材を通すＰＣ鋼材配置用孔３０が形成されている（図２および図３参照）。この構成により、主桁３と取替用プレキャスト床版２０との材齢の相違から生じる引張応力に対抗することができ、取替用プレキャスト床版２０の耐久性および耐荷力を維持することができる。
【００５０】
ＰＣ合成桁用プレキャスト床版の取替方法は、第一手順から第八手順を経る（図５から図１４参照）。すなわち、既設床版６が撤去された跡に残されたズレ止め鉄筋１２やスターラップ１３を接合空間２２に配置し、接合空間２２に充填材１１を充填することで、ズレ止め鉄筋１２やスターラップ１３を介して取替用プレキャスト床版２０を主桁３に接合する。そのため、橋桁１の補修工事においてプレキャスト床版を用いることができ、このことによって、工期と、補修工事に伴う交通規制期間を短縮することができる。
【００５１】
第五手順において、標準部では、取替用プレキャスト床版２０が架設され、中間支点部の前後では、標準部に比べてＰＣ鋼材を追加配置可能なＰＣ定着部付取替用プレキャスト床版３２が架設される（図１３および図１４参照）。第七手順では、ＰＣ定着部付取替用プレキャスト床版３２のＰＣ定着部３３に、ＰＣ鋼材を挿入して緊張させ、中間支点部において橋軸方向にプレストレスが加えられる。この構成により、中間支点部近傍における引張応力に対抗することができ、取替用プレキャスト床版２０を効果的に補強することができる。また、取替用プレキャスト床版２０に比べて製造費用が高いＰＣ定着部付取替用プレキャスト床版３２は、中間支点部近傍にのみ架設されるため、経済性を向上させることができる。
【００５２】
その他、取替用プレキャスト床版２０が、鉄筋コンクリート構造である場合、プレストレスによる圧縮がないため、橋軸直角方向において任意の形状とすることができる。例えば、床版支間が短い場合や橋軸直角方向における勾配が変化する場合などに適応することができる。
【００５３】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００５４】
１                  橋桁
２                  既設のコンクリート桁
３                  主桁
４                  フランジ
５                  横桁
６                  既設床版
７                  中間横桁
８                  ワイヤー
９                  吊り用梁
１０                吊りワイヤー
１１                充填材
１２                ズレ止め鉄筋（鉄筋）
１３                スターラップ（鉄筋）
２０                取替用プレキャスト床版（ＰＣ合成桁用取替用プレキャスト床版）
２１                ハンチ部
２２                接合空間
２３                鋼製板
２４                板露出部
２５                板孔
２６                突出部
２７                板埋設部
２８                突起部
２９                高さ調節手段
３０                ＰＣ鋼材配置用孔（孔）
３１                ＰＣ鋼材（床版横締めケーブル）
３２                ＰＣ定着部付取替用プレキャスト床版（ＰＣ合成桁用取替用プレキャスト床版）
３３                ＰＣ定着部
Ｘ                  切断箇所
【図１】
2019132070.tif 000003
【図２】
2019132070.tif 000004
【図３】
2019132070.tif 000005
【図４】
2019132070.tif 000006
【図５】
2019132070.tif 000007
【図６】
2019132070.tif 000008
【図７】
2019132070.tif 000009
【図８】
2019132070.tif 000010
【図９】
2019132070.tif 000011
【図１０】
2019132070.tif 000012
【図１１】
2019132070.tif 000013
【図１２】
2019132070.tif 000014
【図１３】
2019132070.tif 000015
【図１４】
2019132070.tif 000016